(57)【要約】      （修正有）【課題】生理活性物質を固定化することができる担体、特に好ましくは、生理活性物質を固定化することができ且つ非特異吸着が抑制された担体を簡便に作製し、提供する。【解決手段】生理活性物質を捕捉する機能を有する分析用担体であって、担体の表面に、重合体が固定化されており、前記重合体は、側鎖に親水性基を有する第１繰り返しユニットと、側鎖の末端にアミノ基と反応する官能基を有する第２繰り返しユニットと、を有することを特徴とする分析用担体であり、アミノ基と反応する官能基がエポキシ基である。【選択図】なし【特許請求の範囲】
【請求項１】
生理活性物質を捕捉する機能を有する分析用担体であって、
担体の表面に、重合体が固定化されており、
前記重合体は、側鎖に親水性基を有する第１繰り返しユニットと、
側鎖の末端にアミノ基と反応する官能基を有する第２繰り返しユニットと
を有することを特徴とする分析用担体。
【請求項２】
担体の表面に重合性官能基、または連鎖移動基を導入し、
該担体と側鎖に親水性基を有する重合性モノマーと、生理活性物質を固定化するアミノ基と反応する官能基を有する重合性モノマーとを含む重合性成分を混合し、
次いで重合反応を進行させることにより、
該担体表面に高分子化合物を含む層を形成した請求項１記載の分析用担体。
【請求項３】
前記アミノ基と反応する官能基がエポキシ基である請求項１または２に記載の分析用担体。
【請求項４】
前記側鎖に親水性基を有する重合性モノマーが下記の一般式［１］で表されるモノマーを含む請求の請求項２乃至３いずれか１項に記載の分析用担体。
【化１】
2014062798.tif 000008
（ 式中Ｒ１は水素原子またはメチル基を示し、Ｒ２は親水性基を示す。Ｘはアルキレン
基または炭素数１〜１０のアルキレングリコール残基を示し、ｐは１〜１００の整数を示す。ｐが２以上１００以下の整数である場合、繰り返されるＸは、同一であっても、異なっていてもよい。また、Ｘがエチレングリコール残基の場合、これ自体が親水性を示すのでＲ２は任意の官能基を選択できる。）
【請求項５】
前記親水性基が、ベタイン構造を有する官能基である請求項１乃至４いずれか１項に記載の分析用担体。
【請求項６】
前記ベタイン構造を有する官能基がホスホリルコリン基である請求の請求項５に記載の分析用担体。
【請求項７】
前記側鎖に親水性基を有する重合性モノマーが、２−（メタ）アクリロイルオキシエチルホスホリルコリンを有する請求項４乃至６いずれか１項に記載の分析用担体。
【請求項８】
生理活性物質を固定化するアミノ基と反応する官能基を有する重合性モノマーが下記の一般式［２］ で表される物質である請求項２乃至７いずれか１項に記載の分析用担体。
【化２】
2014062798.tif 000009
（ 式中Ｒ３は水素原子またはメチル基を示し、Ｙは炭素数１〜１０のアルキレングリコ
ール残基またはアルキレン基を示す。Ｗはアミノ基と反応する官能基を示す。ｑは１〜１００の整数を示す。ｑが２以上１００以下の整数である場合、繰り返されるＹは、それぞれ同一であっても、異なっていてもよい。）
【請求項９】
前記担体の表面に導入する重合性官能基がメタクリル基、アクリル基、及びビニル基よりなる群から選ばれる１種以上である請求項２乃至８いずれか１項に記載の分析用担体。
【請求項１０】
前記担体の表面に導入する連鎖移動基がメルカプト基である請求項２乃至８いずれか１項に記載の分析用担体。
【請求項１１】
前記担体が無機材料からなる請求項１乃至１０いずれか１項に記載の分析用担体。
【請求項１２】
前記無機材料が無機酸化物からなる請求項１１に記載の分析用担体。
【請求項１３】
前記無機酸化物が酸化ケイ素である請求の請求項１２に記載の分析用担体。
【請求項１４】
前記担体の形状が粒子、基板、繊維、フィルター、膜、シートである請求項１乃至１３記載の分析用担体。
【請求項１５】
前記担体の表面への重合性官能基、または連鎖移動基の導入が、重合性官能基、または連鎖移動基を有するシランカップリング剤と核となる担体表面の官能基との共有結合の形成によってなされる請求項２乃至１４いずれか１項に記載の分析用担体。
【請求項１６】
前記重合性官能基、または連鎖移動基を有するシランカップリング剤が重合性官能基、または連鎖移動基を有するアルコキシシランである請求項１５に記載の分析用担体。
【請求項１７】
請求項１乃至１６いずれか１項に記載の分析担体であって、高分子化合物を含む層の前記アミノ基と反応する官能基を介して生理活性物質を固定化したことを特徴とする分析用担体。
【請求項１８】
前記生理活性物質が酵素、抗体、レクチン、レセプター、プロテインＡ、プロテインＧ、プロテインＡ／Ｇ、アビジン、ストレプトアビジン、ニュートラアビジン、グルタチオン−Ｓ−トランスフェラーゼ、糖タンパク質等のタンパク質、ペプチド、アミノ酸、ホルモン、核酸、糖、オリゴ糖、多糖、シアル酸誘導体、シアル化糖鎖等の糖鎖、脂質、低分子化合物、上述以外の高分子有機物質、無機物質、若しくはこれらの融合体、または、ウイルス、若しくは細胞を構成する分子などから選ばれる少なくとも一つである請求項１７に記載の分析用担体。
【請求項１９】
請求項１乃至１８いずれか１項に記載の分析用担体の製造方法であって、重合性官能基、または連鎖移動基を有するアルコキシシランを酸性水溶液中で加水分解する工程、次いで前記重合性官能基、または連鎖移動基を有するアルコキシシランの酸性水溶液中で担体を撹拌下、加熱する工程、及び乾燥後、更に加熱する工程、を含む分析担体の製造方法。
【請求項２０】
請求項１乃至１８いずれか１項に記載の分析用担体の製造方法であって、重合性官能基、または連鎖移動基を導入した担体と重合性モノマーを溶媒中で混合することにより重合反応を進行させる工程、及び乾燥する工程を含む分析担体の製造方法。
【請求項２１】
前記重合反応がラジカル重合反応であることを特徴とする請求項１９に記載の分析用担体の製造方法。
【請求項２２】
請求項１乃至１８いずれか１項に記載の分析用担体の製造方法であって、高分子化合物を含む層を形成した担体に生理活性物質をリン酸塩緩衝液に溶解した溶液を接触させる工程を含む生分析用担体の製造方法。
【請求項２３】
前記リン酸塩緩衝液のリン酸塩濃度が０．１Ｍ以上５Ｍ以下である請求項２２に記載の分析用担体の製造方法。
【請求項２４】
前記リン酸塩がリン酸二水素カリウム、リン酸二水素ナトリウム、リン酸水素二カリウム、又はリン酸水素二ナトリウムのいずれかを含む請求項２２または２３に記載の分析用担体の製造方法。
【請求項２５】
請求項２２乃至２４のいずれか１項に記載の生理活性物質固定化分析用担体を、標的生体分子の溶解液、血液、血漿、血清、細胞破砕液、細胞培養液、及び組織破砕液から選ばれる少なくとも一つの溶液に接触させることにより標的生体物質を回収することを特徴とする分析用担体の使用方法。
【発明の詳細な説明】
【技術分野】
【０００１】
本発明は、生理活性物質を固定するための担体、該担体の製造方法、及び該担体上に生理活性物質を固定した分析用担体に関する。
【背景技術】
【０００２】
一般的に生理活性物質固定化のための分析用担体は、粒子、基板、繊維、フィルター、膜、シートの形状で提供される場合が多い。
担体が粒子の場合は、カラムや容器に充填して、生理活性物質の反応、分離、精製等にしばしば用いられる。あるいは診断薬としても用いられる。また、担体が基板の場合は、前記同様に診断ツールに用いるなどして使用される。さらに繊維、フィルター、膜、シートの場合は大量の分離、精製ツール等に用いることができる。
【０００３】
このような目的の場合、担体表面に確実に生理活性物質を固定化することが必須であり、そのため、以前は樹脂に対する物理化学吸着による生理活性物質の固定が主流であったが、現在では、担体表面に官能基を導入し、生理活性物質を化学結合により固定化する方法がよく採用されている。
【０００４】
これにより、生理活性物質の剥離を防ぐとともに、分子量や構造によらず確実に生理活性物質を固定化することが可能となった。
【０００５】
特許文献１には、磁性体を内包する樹脂製マイクロビーズを乳化重合により作製し、ビーズ表面の官能基にエチレングリコールジグリシジルエーテルを反応させ、モノクローナル抗体を結合させる方法が記載されている。しかしながら、この方法では、マイクロビーズを重合により作製する工程が必要で、それは煩雑であるとともに、必要な粒径、粒度分布を制御することが困難である。
【０００６】
一方、特許文献２には、入手容易な汎用樹脂製マイクロビーズを基材として、その表面を加水分解し、表面に精製したカルボン酸に親水性のスペーサー分子を結合させ、さらにスペーサー分子の官能基に生理活性物質を結合し、親水性により非特異吸着を抑制する方法が述べられている。
【０００７】
この方法により得られるマイクロビーズは、加水分解によりカルボン酸を生じる樹脂を基材として用いる必要がある。また、当該マイクロビーズを、そのスペーサー分子に固定した生理活性物質に親和性の高い物質を捕捉するために使用する場面において、生体由来の夾雑物を多く含む検体を接触させると非特異吸着を抑制しきれない可能性が高い。
【先行技術文献】
【特許文献】
【０００８】
【特許文献１】特開２００５−２４１５４７号公報
【特許文献２】特開２００９−０３１１３０号公報
【発明の概要】
【発明が解決しようとする課題】
【０００９】
本発明は上記実情に鑑み成し遂げられたものであり、生理活性物質を固定化することができる担体、特に好ましくは、生理活性物質を固定化することができ且つ非特異吸着が抑制された担体を簡便に作製し、提供することを目的とする。
【００１０】
また、本発明の他の目的は、上記した生理活性物質固定化用粒子の上に生理活性物質を固定した担体を提供することにある。
【課題を解決するための手段】
【００１１】
本発明は以下の通りである。
（１）生理活性物質を捕捉する機能を有する分析用担体であって、担体の表面に、重合体が固定化されており、前記重合体は、側鎖に親水性基を有する第１繰り返しユニットと、側鎖の末端にアミノ基と反応する官能基を有する第２繰り返しユニットと、を有することを特徴とする分析用担体。
（２）担体の表面に重合性官能基、または連鎖移動基を導入し、該担体と側鎖に親水性基を有する重合性モノマーと、生理活性物質を固定化するアミノ基と反応する官能基を有する重合性モノマーとを含む重合性成分を混合し、次いで重合反応を進行させることにより、
該担体表面に高分子化合物を含む層を形成した（１）記載の分析用担体。
（３）前記アミノ基と反応する官能基がエポキシ基である（１）または（２）に記載の分析用担体。
（４）前記側鎖に親水性基を有する重合性モノマーが下記の一般式［１］で表されるモノマーを含む請求の（２）乃至（３）いずれか１項に記載の分析用担体。
【化１】
2014062798.tif 000002
（ 式中Ｒ１は水素原子またはメチル基を示し、Ｒ２は親水性基を示す。Ｘはアルキレン
基または炭素数１〜１０のアルキレングリコール残基を示し、ｐは１〜１００の整数を示す。ｐが２以上１００以下の整数である場合、繰り返されるＸは、同一であっても、異なっていてもよい。また、Ｘがエチレングリコール残基の場合、これ自体が親水性を示すのでＲ２は任意の官能基を選択できる。）
（５）前記親水性基が、ベタイン構造を有する官能基である（１）乃至（４）いずれか１項に記載の分析用担体。
（６）前記ベタイン構造を有する官能基がホスホリルコリン基である請求の（５）に記載の分析用担体。
（７）前記側鎖に親水性基を有する重合性モノマーが、２−（メタ）アクリロイルオキシエチルホスホリルコリンを有する（４）乃至（６）いずれか１項に記載の分析用担体。
（８）生理活性物質を固定化するアミノ基と反応する官能基を有する重合性モノマーが下記の一般式［２］ で表される物質である（２）乃至（７）いずれか１項に記載の分析用
担体。
【化２】
2014062798.tif 000003
（ 式中Ｒ３は水素原子またはメチル基を示し、Ｙは炭素数１〜１０のアルキレングリコ
ール残基またはアルキレン基を示す。Ｗはアミノ基と反応する官能基を示す。ｑは１〜１００の整数を示す。ｑが２以上１００以下の整数である場合、繰り返されるＹは、それぞれ同一であっても、異なっていてもよい。）
（９）前記担体の表面に導入する重合性官能基がメタクリル基、アクリル基、及びビニル基よりなる群から選ばれる１種以上である（２）乃至（８）いずれか１項に記載の分析用担体。
（１０）前記担体の表面に導入する連鎖移動基がメルカプト基である（２）乃至（８）いずれか１項に記載の分析用担体。
（１１）前記担体が無機材料からなる（１）乃至（１０）いずれか１項に記載の分析用担体。
（１２）前記無機材料が無機酸化物からなる（１１）に記載の分析用担体。
（１３）前記無機酸化物が酸化ケイ素である請求の（１２）に記載の分析用担体。
（１４）前記担体の形状が粒子、基板、繊維、フィルター、膜、シートである（１）乃至（１３）記載の分析用担体。
（１５）前記担体の表面への重合性官能基、または連鎖移動基の導入が、重合性官能基、または連鎖移動基を有するシランカップリング剤と核となる担体表面の官能基との共有結合の形成によってなされる（２）乃至（１４）いずれか１項に記載の分析用担体。
（１６）前記重合性官能基、または連鎖移動基を有するシランカップリング剤が重合性官能基、または連鎖移動基を有するアルコキシシランである（１５）に記載の分析用担体。（１７）（１）乃至（１６）いずれか１項に記載の分析担体であって、高分子化合物を含む層の前記アミノ基と反応する官能基を介して生理活性物質を固定化したことを特徴とする分析用担体。
（１８）前記生理活性物質が酵素、抗体、レクチン、レセプター、プロテインＡ、プロテインＧ、プロテインＡ／Ｇ、アビジン、ストレプトアビジン、ニュートラアビジン、グルタチオン−Ｓ−トランスフェラーゼ、糖タンパク質等のタンパク質、ペプチド、アミノ酸、ホルモン、核酸、糖、オリゴ糖、多糖、シアル酸誘導体、シアル化糖鎖等の糖鎖、脂質、低分子化合物、上述以外の高分子有機物質、無機物質、若しくはこれらの融合体、または、ウイルス、若しくは細胞を構成する分子などから選ばれる少なくとも一つである（１７）に記載の分析用担体。
（１９）（１）乃至（１８）いずれか１項に記載の分析用担体の製造方法であって、重合性官能基、または連鎖移動基を有するアルコキシシランを酸性水溶液中で加水分解する工程、次いで前記重合性官能基、または連鎖移動基を有するアルコキシシランの酸性水溶液中で担体を撹拌下、加熱する工程、及び乾燥後、更に加熱する工程、を含む分析担体の製造方法。
（２０）（１）乃至（１８）いずれか１項に記載の分析用担体の製造方法であって、重合性官能基、または連鎖移動基を導入した担体と重合性モノマーを溶媒中で混合することにより重合反応を進行させる工程、及び乾燥する工程を含む分析担体の製造方法。
（２１）前記重合反応がラジカル重合反応であることを特徴とする（１９）に記載の分析用担体の製造方法。
（２２）（１）乃至（１８）いずれか１項に記載の分析用担体の製造方法であって、高分子化合物を含む層を形成した担体に生理活性物質をリン酸塩緩衝液に溶解した溶液を接触させる工程を含む生分析用担体の製造方法。
（２３）前記リン酸塩緩衝液のリン酸塩濃度が０．１Ｍ以上５Ｍ以下である（２２）に記載の分析用担体の製造方法。
（２４）前記リン酸塩がリン酸二水素カリウム、リン酸二水素ナトリウム、リン酸水素二カリウム、又はリン酸水素二ナトリウムのいずれかを含む（２２）または（２３）に記載の分析用担体の製造方法。
（２５）（２２）乃至（２４）のいずれか１項に記載の生理活性物質固定化分析用担体を、標的生体分子の溶解液、血液、血漿、血清、細胞破砕液、細胞培養液、及び組織破砕液から選ばれる少なくとも一つの溶液に接触させることにより標的生体物質を回収することを特徴とする分析用担体の使用方法。
【発明の効果】
【００１２】
本発明により生理活性物質を固定化することができる担体、特に反応触媒を必要とせず生理活性物質を固定化することができ、且つ非特異吸着を抑制した担体を簡便に作製し、提供することが可能となった。
【発明を実施するための形態】
【００１３】
以下、本発明の分析用担体、その製造方法および使用方法について説明する。
【００１４】
本発明の分析用担体は、生理活性物質を固定化する機能を有する担体であって、担体表面に、重合体が固定化されており、前記重合体は、側鎖に親水性基を有する第１繰り返しユニットと、側鎖の末端にアミノ基と反応する官能基を有する第２繰り返しユニットと、を有することを特徴とする。
【００１５】
本発明の分析用担体は、生理活性物質を捕捉する機能を有するものである。具体的には、アミノ基と反応する官能基を有する分析用担体に関するものであり、該官能基を用いて生理活性物質のアミノ基との結合反応を利用するものである。
【００１６】
ここで、生理活性物質とは、例えば酵素、抗体、レクチン、レセプター、プロテインＡ、プロテインＧ、プロテインＡ／Ｇ、アビジン、ストレプトアビジン、ニュートラアビジン、グルタチオン−Ｓ−トランスフェラーゼ、糖タンパク質等のタンパク質、ペプチド、アミノ酸、ホルモン、核酸、糖、オリゴ糖、多糖、シアル酸誘導体、シアル化糖鎖等の糖鎖、脂質、低分子化合物、上述以外の高分子有機物質、無機物質、若しくはこれらの融合体、または、ウイルス、若しくは細胞を構成する分子等を挙げることができる。
【００１７】
前記担体の基材の表面には、重合体が固定されている。この重合体は、アミノ基と反応する官能基を持ち生理活性物質を効率良く、かつ簡易に担体に結合することを可能とするものである。さらに、この生理活性物質以外の物質（検出対象以外のタンパク質等）の非特異吸着を効果的に抑制するものである。
【００１８】
前記重合体は、側鎖に親水性基を有する第１繰り返しユニットと、側鎖の末端にアミノ基と反応する官能基を有する第２繰り返しユニットと、を有する。すなわち、側鎖に親水性基を有する第１繰り返しユニットが、検出対象以外のタンパク質等の非特異吸着を抑制し、側鎖の末端にアミノ基と反応する官能基を有する第２繰り返しユニットが生理活性物質を捕捉することができるものである。  
【００１９】
前記側鎖に親水性基を有する第１繰り返しユニットは、例えばアルキレングリコール残基を有するエチレン系不飽和重合性モノマー、ベタイン構造を有する官能基、とりわけホスホリルコリン基を有するエチレン系不飽和重合性モノマー等に由来するものである。これにより、血清や細胞ライセート等に含まれるタンパク質の非特異吸着を大きく抑制することができる。
【００２０】
具体的にアルキレングリコール残基を有するエチレン系不飽和重合性モノマーは、下記式（１）で示されるように、（メタ）アクリル基と炭素数１〜１０のアルキレングリコール残基Ｘの連鎖からなる化合物であることが好ましい。
【００２１】
【化１】
2014062798.tif 000004
（ 式中Ｒ１は水素原子またはメチル基を示し、Ｒ２は親水性基を示す。Ｘはアルキレン
基または炭素数１〜１０のアルキレングリコール残基を示し、ｐは１〜１００の整数を示す。ｐが２以上１００以下の整数である場合、繰り返されるＸは、同一であっても、異なっていてもよい。また、Ｘがエチレングリコール残基の場合、これ自体が親水性を示すのでＲ２は任意の官能基を選択できる。）
【００２２】
前記式（１）中のアルキレングリコール残基Ｘの炭素数は１〜１０であり、好ましくは１〜６であり、より好ましくは２〜４であり、更に好ましくは２〜３であり、最も好ましくは２である。炭素数が前記範囲内であると、特に非特異吸着の抑制に優れる。
【００２３】
また、アルキレングリコール残基Ｙの繰り返し数ｐは、特に限定されるものではないが、好ましくは１〜１００の整数であり、より好ましくは２〜１００の整数であり、更に好ましくは２〜９５の整数であり、最も好ましくは４〜９０の整数である。前記繰り返し数ｑが前記範囲内であると、特に非特異吸着の抑制に優れる。
なお、繰り返し数ｑが、２以上１００以下の場合は、繰り返されるアルキレングリコール残基Ｙの炭素数は同一であっても、異なっていてもよい。
【００２４】
前記アルキレングリコール残基を有するエチレン系不飽和重合性モノマーとしては、具体的にはメトキシポリエチレングリコール（メタ）アクリレート、エトキシポリエチレングリコール（メタ）アクリレート、ポリエチレングリコール（メタ）アクリレート、メトキシジエチレングリコール（メタ）アクリレート、エトキシジエチレングリコール（メタ）アクリレート、ポリプロピレングリコールを側鎖とする（メタ）アクリレート、フェノキシポリエチレングリコール（メタ）アクリレート等が挙げられるが、目的とする生理活性物質以外の成分の非特異的吸着が少ないこと及び入手性からメトキシポリエチレングリコールメタクリレートまたはエトキシポリエチレングリコールメタクリレートが好ましい。
【００２５】
ベタイン構造を有する官能基を有するエチレン系不飽和重合性モノマーとしては、下記式（１）で示されるように、（メタ）アクリル基とベタイン構造を有する官能基を有する官能基が、アルキレン基または炭素数１〜１０のアルキレングリコール残基Ｘの連鎖を介して結合した化合物であることが好ましい。
【００２６】
【化１】
2014062798.tif 000005
（式中Ｒ１は水素原子またはメチル基を示し、Ｒ２はベタイン構造を有する官能基を示す。Ｘはアルキレン基または炭素数１〜１０のアルキレングリコール残基を示し、ｐは１〜１００の整数を示す。ｐが２以上１００以下の整数である場合、繰り返されるＸは、同一
であっても、異なっていてもよい。）
【００２７】
ベタイン構造を有するエチレン系不飽和重合性モノマーには、カルボキシベタイン系モノマー、スルホベタイン系モノマー、ホスホベタイン系モノマーなどがある。また、ホスホリルコリン構造を有するモノマーもベタイン構造を有するモノマーの一種である。これらのなかでは、ホスホリルコリン構造を有するモノマーが非特異吸着の抑制効果が高く、好ましい。
【００２８】
カルボキシベタイン系モノマーの具体例としては、ジメチル（２−メタクリロイルオキシエチル）（２−カルボキシラトエチル）アミニウム、ジメチル（２−アクリロイルオキシエチル）（２−カルボキシラトエチル）アミニウム、ジメチル（２−メタクリロイルオキシエチル）（３−カルボキシラトプロピル）アミニウム、ジメチル（２−アクリロイルオキシエチル）（３−カルボキシラトプロピル）アミニウム、ジメチル（２−メタクリロイルオキシエチル）（４−カルボキシラトブチル）アミニウム、ジメチル（２−アクリロイルオキシエチル）（４−カルボキシラトブチル）アミニウム、ジメチル（２−メタクリロイルオキシエチル）（カルボキシラトメチル）アミニウム、ジメチル（２−アクリロイルオキシエチル）（カルボキシラトメチル）アミニウム等が挙げられる。
【００２９】
スルホベタイン系モノマーの具体例としては、ジメチル（２−メタクリロイルオキシエチル）（２−スルホナトエチル）アミニウム、ジメチル（２−アクリロイルオキシエチル）（２−スルホナトエチル）アミニウム、ジメチル（２−メタクリロイルオキシエチル）（３−スルホナトプロピル）アミニウム、ジメチル（２−アクリロイルオキシエチル）（３−スルホナトプロピル）アミニウム、ジメチル（２−メタクリロイルオキシエチル）（４−スルホナトブチル）アミニウム、ジメチル（２−アクリロイルオキシエチル）（４−スルホナトブチル）アミニウム、ジメチル（２−メタクリロイルオキシエチル）（スルホナトメチル）アミニウム、ジメチル（２−アクリロイルオキシエチル）（スルホナトメチル）アミニウム等が挙げられる。
【００３０】
ホスホベタイン系モノマーの具体例としては、ジメチル（２−メタクリロイルオキシエチル）（２−ホスホナトエチル）アミニウム、ジメチル（２−アクリロイルオキシエチル）（２−ホスホナトエチル）アミニウム、ジメチル（２−メタクリロイルオキシエチル）（３−ホスホナトプロピル）アミニウム、ジメチル（２−アクリロイルオキシエチル）（３−ホスホナトプロピル）アミニウム、ジメチル（２−メタクリロイルオキシエチル）（４−ホスホナトブチル）アミニウム、ジメチル（２−アクリロイルオキシエチル）（４−ホスホナトブチル）アミニウム、ジメチル（２−メタクリロイルオキシエチル）（ホスホナトメチル）アミニウム、ジメチル（２−アクリロイルオキシエチル）（ホスホナトメチル）アミニウム等が挙げられる。
【００３１】
ホスホリルコリン構造を有する重合性不飽和モノマーの具体例としては、２−（メタ）アクリロイルオキシエチルホスホリルコリン、２−（メタ）アクリロイルオキシエトキシエチルホスホリルコリン、６−（メタ）アクリロイルオキシヘキシルホスホリルコリン、１０−（メタ）アクリロイルオキシエトキシノニルホスホリルコリン、２−（メタ）アクリロイルオキシプロピルホスホリルコリン、２−（メタ）アクリロイルオキシブチルホスホリルコリン等が挙げられる。これらの中では、入手性から２−（メタ）アクリロイルオキシエチルホスホリルコリンが最も好ましい。
【００３２】
前記側鎖に親水性基を有する第１繰り返しユニットは、先に挙げたアルキレングリコール残基を有するエチレン系不飽和重合性モノマーに由来するもの、ベタイン構造を有するエチレン系不飽和重合性モノマー等に由来するもの以外でもよく、例えば２−ヒドロキシエチル（メタ）アクリレート及びその水酸基の一置換エステル、２−ヒドロキシプロピル
（メタ）アクリレート及びその水酸基の一置換エステル、２−ヒドロキシブチル（メタ）アクリレート及びその水酸基の一置換エステル、グリセロールモノ（メタ）アクリレート、２−メトキシエチル（メタ）アクリレート、２−エトキシエチル（メタ）アクリレート、２−（メタ）アクリロイルオキシエチルサクシネートおよびその塩、２−（メタ）アクリロイロキシエチルフタル酸およびその塩等、各親水性基を側鎖に有するモノマーに由来するものでもよい。
【００３３】
前記側鎖の末端にアミノ基と反応する官能基を有する第２繰り返しユニットは、例えば
末端にアミノ基と反応する官能基を有するエチレン系不飽和重合性モノマーに由来するものが好ましい。
【００３４】
また、第２繰り返しユニットのアミノ基と反応する官能基は、生理活性物質中に存在するアミノ基と反応する官能基が好ましい。特に低分子物質との結合反応を起こさせるためには、触媒等を必要としない自己反応型の官能基であることが好ましい。
【００３５】
末端にアミノ基と反応する官能基を有するエチレン系不飽和重合性モノマーは、下記式（２）で示されるように、（メタ）アクリル基とアミノ基と反応する官能基が、アルキレン基または炭素数１〜１０のアルキレングリコール残基Ｙの連鎖を介して結合した化合物であることが好ましい。
【００３６】
【化２】
2014062798.tif 000006
（ 式中Ｒ３は水素原子またはメチル基を示し、Ｙはアルキレン基または炭素数１〜１０
のアルキレングリコール残基を示す。Ｗはアミノ基と反応する官能基を示す。ｑは１〜１００の整数を示す。ｑが２以上１００以下の整数である場合、繰り返されるＹは、それぞれ同一であっても、異なっていてもよい。）
【００３７】
前記式（２）中のＹがアルキレン基である場合、ｑは１〜１００の整数であり、好ましくは１〜２０であり、より好ましくは１〜１０であり、最も好ましくは１〜６である。ｑの値が大きくなりすぎると、タンパク質の非特異吸着が大きくなる。
【００３８】
前記式（２）中のＹがアルキレングリコール残基である場合、アルキレングリコール残基Ｙの炭素数は１〜１０であり、好ましくは１〜６であり、より好ましくは２〜４であり、更に好ましくは２〜３であり、最も好ましくは２である。炭素数が前記範囲内であると、特に非特異吸着の抑制に優れる。
また、アルキレングリコール残基Ｙの繰り返し数ｑは、特に限定されるものではないが、好ましくは１〜１００の整数であり、より好ましくは２〜１００の整数であり、更に好ましくは２〜９５の整数であり、最も好ましくは４〜９０の整数である。前記繰り返し数ｑが前記範囲内であると、特に非特異吸着の抑制に優れる。
【００３９】
式（２）中のＷは、アミノ基と反応する官能基であれば特に限定するものではないが、好ましくは触媒を必要としない、エポキシ基や、活性エステル基であることが好ましい。具体的には例えば、エポキシ基や、ｐ−ニトロフェニル活性エステル基、Ｎ−ヒドロキシスクシンイミド活性エステル基、フタル酸イミド活性エステル基、５−ノルボルネン−２、３−ジカルボキシイミド活性エステル基等が挙げられるが、嵩が小さく官能基密度を高
くできる点でエポキシ基が最も好ましい。具体的なモノマーの例としては（メタ）アクリル酸グリシジルが挙げられる。
【００４０】
前記重合体の前述した第１繰り返しユニットと、第２繰り返しユニットとの共重合比（第１繰り返しユニット／第２繰り返しユニット）は、特に限定されないが、９７／３〜５／９５であることが好ましく、特に９０／１０〜１０／９０であることが好ましい。共重合比が前記範囲内であると、特に非特異吸着を効果的に抑制するとともに、生理活性物質を固定化する効果、ひいては該生理活性物質と特異的に結合する生体物質の捕捉効果に優れる。
【００４１】
前記共重合比は、例えばＸ線光電子分光分析（ＸＰＳ）で元素組成を評価することで算出できる。
【００４２】
前記重合体は、第１繰り返しユニットと第２繰り返しユニットを含むランダム共重合体であることが好ましい。これにより、第２繰り返しユニットの側鎖の末端に存在するアミノ基と反応する官能基が分散するために、有効に作用することができる。
前記重合体の重量平均分子量は、特に限定されないが、５０００〜１００００００であることが好ましく、特に１００００〜１０００００であることが好ましい。重量平均分子量が前記範囲内であると、合成時のハンドリングがよく、また、非特異吸着を効果的に抑制することができる。
【００４３】
本発明の分析用担体では、前記第１繰り返しユニット、前記第２繰り返しユニット、および側鎖にシランカップリング剤を有するユニットからなる重合体が、前記基材にシランカップリング剤を介して結合されていても良い。これにより、ポリマーが担体から脱離するのを防ぐことができる。
【００４４】
前記側鎖にシランカップリング剤を有するユニットとしては、メタクリロキシプロピルジメチルメトキシシラン、メタクリロキシプロピルジメチルエトキシシラン、メタクリロキシプロピルメチルジメトキシシラン、メタクリロキシプロピルメチルジエトキシシラン、メタクリロキシプロピルトリメトキシシラン、メタクリロキシプロピルトリエトキシシラン、３−メルカプトプロピルトリメトキシシラン、３−メルカプトプロピルトリエトキシシラン、３−メルカプトプロピルメチルジメトキシシラン、３−メルカプトプロピルメチルジエトキシシラン、３−メルカプトプロピルジメチルメトキシシラン、３−メルカプトプロピルジメチルエトキシシラン、メルカプトエチルトリエトキシシランに由来するものが挙げられる。
【００４５】
シランカップリング剤により、担体に結合した重合体を形成する具体的な方法としては、無機酸化物の場合は、表面に存在する水酸基との間のカップリング反応で容易に結合させることができる。
【００４６】
前記シランカップリング剤を用いることで、ポリマーが担体表面から脱離することを防ぐことができることから、分析用担体しての使用において、繰り返される加熱処理や、洗浄工程において、ポリマーの溶解を防ぐことが可能であり、さらに、ポリマーの脱離に伴い発生する、非特異吸着抑制成分およびアミノ基と反応する官能基の低減が抑制され、化学的、物理的安定した分析用担体を提供することが可能となる。
【００４７】
また、アミノ基と反応する官能基の低減を防ぐことで、生理活性物質の固定化量を高く維持できることから、該生理活性物質が特異的に捕捉する物質（検出対象）の捕捉量が大きくなり、かつ、非特異吸着抑制成分の低減が抑制されていることから検出対象以外のタンパク質等に対する非特異吸着が少なくなり、Ｓ／Ｎ比の高い分析用担体を提供することが
できる。
【００４８】
前記担体の基材は、特に限定されるものではなく、有機材料、無機材料を問わず用いることができる。有機材料としては、例えばアフィニティクロマトグラフィーの担体として用いられる多孔性のアガロース粒子（商品名：Ｓｅｐｈａｒｏｓｅ）、デキストラン粒子（商品名：Ｓｅｐｈａｄｅｘ）の他に、ポリアクリルアミドゲル（商品名：Ｂｉｏ−Ｇｅｌ  Ｐ、バイオラッド社）、ポリスチレン、エチレン−無水マレイン酸共重合物、ポリメタクリル酸メチル、ポリオレフィン、ポリスチレン、ポリエチレン、ポリカーボネート、ポリアミド、アクリル系樹脂等の各種樹脂材料等が挙げられる。
【００４９】
また、無機材料としては、金、銀、白金、パラジウム、イリジウム、ロジウム、オスミウム、鉄、銅、コバルト、アルミニウムおよびこれらの合金や無機酸化物等が挙げられる。これらの中でも無機酸化物が粒子自体の強度が高い点で好ましい。中でも、酸化ケイ素が取り扱いやすく最も好ましい。
【００５０】
担体の形状は粒子、基板、繊維、フィルター、膜、シートなど任意である。中でも粒子が表面に重合体が固定化しやすいため、好ましい。基板状の担体としてはは、例えばスライドガラス形状の平板状の基板や、マルチウェルプレート等を挙げることができる。
【００５１】
粒子状の担体の場合、平均粒径は、目的および用途に応じて適宜選択される。特に、無機物の場合、粒径の制御が困難な乳化重合や懸濁重合で有機物の粒子を製造する方法に比較して、粒径の制御が容易である。
【００５２】
具体的に、本発明の分析用担体に用いる粒子の粒径としては、用途によっても異なるが、平均粒径が数ｎｍ〜１００μｍ程度のものが好ましい。特には、１００ｎｍ〜５０μｍが好ましく、最も１μｍ〜４０μｍが好ましい。前記基材の平均粒径が前記範囲内であると、特に生理活性物質の捕捉量とハンドリングの良さとのバランスに優れる。このような平均粒径は、例えば粒度分布計で測定することができる。
【００５３】
（重合体固定担体の作製）
前記重合体固定担体の作製について述べる。本発明の担体の合成方法は、特に限定されるものではないが、合成の容易さから、担体表面に、重合性官能基または連鎖移動基を有するシランカップリング剤を固定化し、前記側鎖に親水性基を有する重合性モノマーと、アミノ基と反応する官能基を有する重合性モノマーおよび該担体を含む混合物を、重合開始剤存在下、溶媒中でラジカル重合することが好ましい。
【００５４】
溶媒としてはそれぞれのエチレン系不飽和重合性モノマーが溶解するものであればよく、例えば、２−ブタノン、メタノール、エタノール、ｔ−ブチルアルコール、ベンゼン、トルエン、テトラヒドロフラン、ジオキサン、ジクロロメタン、クロロホルムなどを挙げることができる。これらの溶媒は、単独または２種以上の組み合わせで用いられる。
【００５５】
重合開始剤としては通常のラジカル開始剤ならいずれでもよく、例えば、２，２’−アゾビスイソブチルニトリル（以下「ＡＩＢＮ」という）、１，１’−アゾビス（シクロヘキサン−１ −カルボニトリル）などのアゾ化合物、過酸化ベンゾイル、過酸化ラウリル
などの有機過酸化物などを挙げることができる。
【００５６】
本発明の高分子化合物の化学構造は、その結合方式がランダム、ブロック、グラフトなどいずれの形態をなしていてもかまわない。
【００５７】
（生理活性物質の固定化）
本発明において生理活性物質を担体上に固定化する際には、生理活性物質を溶解又は分散させた液体を付着する方法が好ましい。生理活性物質を溶解又は分散した液体のｐＨは５．０〜１１．０であることが好ましく、ｐＨ６．０〜１０がより好ましい。この範囲外だと、生理活性物質が変性・分解する恐れがある。
【００５８】
生理活性物質付着後は、アミノエタノール等のアミノ基を有する低分子物質で担体を処理し未反応のアミノ基と反応する官能基を失活させてしまうことが好ましい。
固相表面の親水基の特性により、界面活性剤を含む水や緩衝液で洗浄することで、目的物以外の別の物質の固相表面への非特異吸着を抑制することが可能となる。
【００５９】
前記生理活性物質は、酵素、抗体、レクチン、レセプター、プロテインＡ、プロテインＧ、プロテインＡ／Ｇ、アビジン、ストレプトアビジン、ニュートラアビジン、グルタチオン−Ｓ−トランスフェラーゼ、糖タンパク質等のタンパク質、ペプチド、アミノ酸、ホルモン、核酸、糖、オリゴ糖、多糖、シアル酸誘導体、シアル化糖鎖等の糖鎖、脂質、低分子化合物、上述以外の高分子有機物質、無機物質、若しくはこれらの融合体、または、ウイルス、若しくは細胞を構成する分子から選ばれる少なくとも一つである。
【実施例】
【００６０】
以下、本発明を実施例および比較例に基づいて詳細に説明するが、本発明はこれに限定されるものではない。
【００６１】
＜実施例＞
メタクリロキシプロピルジメチルメトキシシラン（Ｇｅｌｅｓｔ社製ＳＩＭ６４８６．５）１３ｇをｐＨ３．０の酢酸水溶液５０ｍＬとエタノール５０ｍＬとの混合液に添加し、シランカップリング剤を加水分解した後に、シリカビーズ（平均粒径５μｍ、細孔径７０Å、富士シリシア化学株式会社製ＳＭＢ７０−５）１０ｇを投入し７０℃で２時間攪拌した後、吸引ろ過により反応溶液からシリカビーズを回収し、１００℃で１時間加熱した。その後、エタノールで分散させてよく振盪した後、遠心分離により上澄みを除去し乾燥させた。
【００６２】
２−メタクリロイルオキシエチルホスホリルコリン（以下ＭＰＣモノマーと記載、日本油脂株式会社製）、メタクリル酸グリシジル（以下ＧＭＡと記載、和光純薬工業製）を、エタノールとメチルエチルケトンの混合溶媒に溶解させ、モノマー混合溶液を作製した。総モノマー濃度は０．６ｍｏｌ／Ｌ、それぞれのモル比はＭＰＣモノマー、ＧＭＡの順に８０：２０、５０：５０、２０：８０である。そこにＡＩＢＮを０．０２ｍｏｌ／Ｌになるように添加し、均一になるまで撹拌した。その後、上記のメタクリロキシプロピルジメチルメトキシシランで処理したシリカビーズ１０ｇを投入し、アルゴンガス雰囲気下、７０℃で２２時間反応させた。次いで、遠心分離により反応溶液からシリカビーズを回収し、ジメチルスルホキシドに分散させ、よく振盪した後、吸引ろ過によりビーズを回収し、乾燥させた。
【００６３】
（１次抗体固定化）
得られた粒子２０ｍｇに対し、５０μｇ／ｍＬに調製したＣＲＰ抗体（Ａｂｎｏｖａ製）のりん酸水素二カリウム溶液１ｍＬを加え、室温にて１晩転倒混和した。０．０５％Ｔｗｅｅｎ２０含有ＰＢＳで３回洗浄した。さらに０．１ｍｏｌ／Ｌの２−アミノエタノール（溶媒：ｐＨ９．５、０．０５ｍｏｌ／ＬのＴｒｉｓ−ＨＣｌ緩衝液）で室温下、１時間処理し、グリシジル基の不活性化を行った。
【００６４】
（ＣＲＰとの反応）
ＣＲＰ抗体を固定化した粒子５ｍｇに３μｇ／ｍＬに調製したＣＲＰのＰＢＳ溶液１ｍＬを加え、室温にて１時間転倒混和した。遠心分離で粒子を回収後０．０５％Ｔｗｅｅｎ２０含有ＰＢＳで３回洗浄した。
【００６５】
（２次抗体との反応）
ＣＲＰを反応させた粒子に、１μｇ／ｍＬに調製したＨＲＰ標識化ＣＲＰ抗体（Ａｂｎｏｖａ製）溶液を１ｍＬ加え、室温にて１時間転倒混和した。遠心分離で粒子を回収後０．０５％Ｔｗｅｅｎ２０含有ＰＢＳで３回洗浄した。
【００６６】
（ＣＲＰ捕捉量の定量）
ＨＲＰ標識化ＣＲＰ抗体を反応させた粒子を、住友ベークライト株式会社製ペルオキシダーゼ発色キットを用いて発色させ、４５０ｎｍの吸光度を測定することによりＣＲＰの捕捉量を見積もった。
【００６７】
＜比較例＞
ＣＲＰ抗体を固定化せずに、２−アミノエタノールで不活性化のみを行った粒子に対し、実施例と同様のＣＲＰ捕捉量測定を行った。
【００６８】
【表１】
2014062798.tif 000007
【００６９】
いずれの実施例においても、比較例よりも吸光度が大きく上昇しており、ＣＲＰ抗体を固定化したビーズがＣＲＰを捕捉できていることがわかる。  
【産業上の利用可能性】
【００７０】
本発明により生理活性物質を固定化することができる担体、特に反応触媒を必要とせず生理活性物質を固定化することができ、且つ非特異吸着を抑制した担体を簡便に作製し、提供することが可能となった。